(57)【要約】【課題】  ＣＡＴＶ／ＢＳ／ＣＳ信号を光ファイバ伝送路を介して伝送する際の反射による劣化を低減する。【解決手段】  スプリッタ（１４）はアンプ（１２）からのＢＳ／ＣＳ信号を２分割し、一方を非線形アンプ（１６）に供給する。ハイパスフィルタ（ＨＰＦ）（１８）は、非線形アンプ（１６）の出力信号から高調波成分を抽出して、駆動装置（２０）に供給する。駆動装置（２０）は、ＨＰＦ（１８）からの高調波成分を半導体レーザ（ＬＤ）（２２）をレーザ発振させる直流電流に重畳して、ＬＤ（２２）を駆動する。多重装置（ＭＵＸ）（２８）が、スプリッタ（１４）の他方の出力信号にアンプ（２６）からのＣＡＴＶ信号を周波数多重する。強度変調器（３０）は、多重装置（２８）の出力信号に従い、ＬＤ（２２）の出力レーザ光を強度変調する。【選択図】  図１
2010232764.tif 000002
【特許請求の範囲】
【請求項１】
第１のＲＦ信号を分割するスプリッタ（１４）と、
当該スプリッタの一方の出力信号から高調波成分を生成する非線形手段（１６）と、
当該非線形手段の出力から当該高調波成分を抽出するフィルタ（１８）と、
当該フィルタの出力信号を重畳した駆動信号によりレーザ発振するように駆動されるレーザ装置（２２）と、
当該レーザ装置の出力光を当該スプリッタの他方の出力信号により強度変調する強度変調器（３０）
とを具備することを特徴とする光送信装置。
【請求項２】
更に、当該第１のＲＦ信号とは異なる周波数帯の第２のＲＦ信号と、当該スプリッタの他方の出力信号を多重する多重装置（２８）を具備し、
当該強度変調器が、当該多重装置の出力信号により当該レーザ装置の出力光を強度変調する
ことを特徴とする請求項１に記載の光送信装置。
【請求項３】
当該第１のＲＦ信号がＢＳ／ＣＳ信号であり、当該第２のＲＦ信号がＣＡＴＶ信号であることを特徴とする請求項２に記載の光送信装置。
【請求項４】
第１のＲＦ信号を分割するスプリッタ（１１４）と、
当該スプリッタの一方の出力信号から高調波成分を生成する非線形手段（１１６）と、
当該非線形手段の出力から当該高調波成分を抽出するフィルタ（１１８）と、
当該スプリッタの他方の出力信号、及び当該フィルタの出力信号を多重する多重装置（１２４，１２６）と、
当該多重装置の出力信号を重畳した駆動信号によりレーザ発振するように駆動されるレーザ装置（１３０）
とを具備することを特徴とする光送信装置。
【請求項５】
当該多重装置が、当該第１のＲＦ信号とは異なる周波数帯の第２のＲＦ信号を、当該スプリッタの他方の出力信号及び当該フィルタの出力信号に多重することを特徴とする請求項４に記載の光送信装置。
【請求項６】
当該第１のＲＦ信号がＢＳ／ＣＳ信号であり、当該第２のＲＦ信号がＣＡＴＶ信号であることを特徴とする請求項５に記載の光送信装置。
【請求項７】
連続レーザ発振するレーザ装置（２２０）と、
第１のＲＦ信号を分割するスプリッタ（２１４）と、
当該スプリッタの一方の出力信号から高調波成分を生成する非線形手段（２１６）と、
当該非線形手段の出力から当該高調波成分を抽出するフィルタ（２１８）と、
当該フィルタの出力信号に従い当該レーザ装置の出力光を位相変調する位相変調器（２２２）と、
当該位相変調器の出力光を当該スプリッタの他方の出力信号により強度変調する強度変調器（２３０）
とを具備することを特徴とする光送信装置。
【請求項８】
連続レーザ発振するレーザ装置（２２０）と、
第１のＲＦ信号を分割するスプリッタ（２１４）と、
当該スプリッタの一方の出力信号から高調波成分を生成する非線形手段（２１６）と、
当該非線形手段の出力から当該高調波成分を抽出するフィルタ（２１８）と、
当該レーザ装置の出力光を当該スプリッタの他方の出力信号により強度変調する強度変調器と、
当該フィルタの出力信号に従い当該強度変調器の出力光を位相変調する位相変調器
とを具備することを特徴とする光送信装置。
【請求項９】
更に、当該第１のＲＦ信号とは異なる周波数帯の第２のＲＦ信号と、当該スプリッタの他方の出力信号を多重する多重装置（２２８）を具備し、
当該強度変調器が、当該多重装置の出力信号により強度変調する
ことを特徴とする請求項７又は８に記載の光送信装置。
【請求項１０】
当該第１のＲＦ信号がＢＳ／ＣＳ信号であり、当該第２のＲＦ信号がＣＡＴＶ信号であることを特徴とする請求項９に記載の光送信装置。
【請求項１１】
レーザ装置（３２８）と、
第１のＲＦ信号を分割するスプリッタ（３１４）と、
当該スプリッタの一方の出力信号から高調波成分を生成する非線形手段（３１６）と、
当該非線形手段の出力から当該高調波成分を抽出するフィルタ（３１８）と、
当該フィルタの出力信号に従い当該レーザ装置の出力光を位相変調する位相変調器（３３０）と、
当該スプリッタの他方の出力信号を重畳した駆動信号により当該レーザ装置をレーザ発振させる駆動装置（３２６）
とを具備することを特徴とする光送信装置。
【請求項１２】
更に、当該第１のＲＦ信号とは異なる周波数帯の第２のＲＦ信号と、当該スプリッタの他方の出力信号を多重する多重装置（３２４）を具備し、
当該駆動装置が、当該多重装置の出力信号を重畳した駆動信号により当該レーザ装置をレーザ発振させる
ことを特徴とする請求項１１に記載の光送信装置。
【請求項１３】
当該第１のＲＦ信号がＢＳ／ＣＳ信号であり、当該第２のＲＦ信号がＣＡＴＶ信号であることを特徴とする請求項１２に記載の光送信装置。
【発明の詳細な説明】
【技術分野】
【０００１】
本発明は、映像信号等のＲＦ信号を光キャリアの強度変調で送信する光送信装置に関する。
【背景技術】
【０００２】
ＣＳ／ＢＳ／ＣＡＴＶ等の放送信号からなるＲＦ（Radio Frequency）信号を光キャリアの強度変調により光ファイバでユーザ宅又は光ノードに伝送する技術が望まれている。図２は、現行及び将来予定のＣＡＴＶ／ＢＳ／ＣＳ放送信号の周波数マップを示す。ＣＡＴＶ放送信号のＵＨＦ帯域内に地上デジタル放送信号が入っている。光ファイバ伝送では、光多重反射に起因する干渉ノイズの発生によりＲＦ信号品質が大きく劣化する可能性がある。また、光コネクタや光ファイバ伝送路中の開放端の他、レイリー散乱によっても、光反射が発生する。
【０００３】
この問題に対し、光スペクトル幅を拡げてコヒーレンシを低下させることにより、干渉ノイズを低減する技術が提案されている（特許文献１，２）。特許文献１に記載の技術では、伝送しようとするＲＦ信号より低周波領域に雑音を予め多重し、その多重信号で光源となる半導体レーザを直接変調する。特許文献２に記載の技術では、光源となる半導体レーザをバイアス電流と、注入電流による半導体レーザの発振周波数偏移量が送信すべきデータの信号帯域よりも大きくなるような周波数の単一周波数信号で駆動し、当該レーザダイオードの出力光を、伝送すべきデータ信号で強度変調する。
【０００４】
また、レーザダイオードの出力光を所定周波数信号で位相変調することで、光スペクトル幅を拡げる技術も知られている。
【先行技術文献】
【特許文献】
【０００５】
【特許文献１】特開平６−１５２５１９号公報
【特許文献２】特開２００１−１２７７１０号公報
【発明の概要】
【発明が解決しようとする課題】
【０００６】
特許文献１に記載の技術では、光多重反射の影響を十分低減できるほどに拡張された光スペクトル幅を得ることが困難である。特許文献２に記載の技術では、光スペクトル幅拡大のための単一周波数信号の周波数と光反射点間距離との関係により干渉ノイズの低減効果が異なり、最悪の場合、その低減効果が全く得られないことがある。つまり、光伝送路条件の異なる多くのユーザに対して、ＲＦ信号をブロードキャストするようなシステム、例えば、ＰＯＮ（Passive Optical Network）システムを利用したシステムでは、あるユーザではＲＦ信号品質が基準値を満たすが、別のユーザではＲＦ信号品質が基準値を満たさない状況が起こり得る。
【０００７】
また、従来の技術では、光スペクトル拡張用に専用の信号源を別に用意しなければならず、コストの増大要因になる。２．６ＧＨｚ帯までのＲＦ伝送を考えると、この信号源の周波数は、２．６ＧＨｚ帯を越える周波数でなければならない。また、特許文献１、２の上記した問題は解決されない。
【０００８】
本発明は、このような問題点を解決する光送信装置を提示することを目的とする。
【課題を解決するための手段】
【０００９】
本発明に係る光送信装置は、第１のＲＦ信号を分割するスプリッタと、当該スプリッタの一方の出力信号から高調波成分を生成する非線形手段と、当該非線形手段の出力から当該高調波成分を抽出するフィルタと、当該フィルタの出力信号を重畳した駆動信号によりレーザ発振するように駆動されるレーザ装置と、当該レーザ装置の出力光を当該スプリッタの他方の出力信号により強度変調する強度変調器とを具備することを特徴とする。
【００１０】
本発明に係る光送信装置は、第１のＲＦ信号を分割するスプリッタと、当該スプリッタの一方の出力信号から高調波成分を生成する非線形手段と、当該非線形手段の出力から当該高調波成分を抽出するフィルタと、当該スプリッタの他方の出力信号、及び当該フィルタの出力信号を多重する多重装置と、当該多重装置の出力信号を重畳した駆動信号によりレーザ発振するように駆動されるレーザ装置とを具備することを特徴とする。
【００１１】
本発明に係る光送信装置は、連続レーザ発振するレーザ装置と、第１のＲＦ信号を分割するスプリッタと、当該スプリッタの一方の出力信号から高調波成分を生成する非線形手段と、当該非線形手段の出力から当該高調波成分を抽出するフィルタと、当該フィルタの出力信号に従い当該レーザ装置の出力光を位相変調する位相変調器と、当該位相変調器の出力光を当該スプリッタの他方の出力信号により強度変調する強度変調器とを具備することを特徴とする。
【００１２】
本発明に係る光送信装置は、連続レーザ発振するレーザ装置と、第１のＲＦ信号を分割するスプリッタと、当該スプリッタの一方の出力信号から高調波成分を生成する非線形手段と、当該非線形手段の出力から当該高調波成分を抽出するフィルタと、当該レーザ装置の出力光を当該スプリッタの他方の出力信号により強度変調する強度変調器と、当該フィルタの出力信号に従い当該強度変調器の出力光を位相変調する位相変調器とを具備することを特徴とする。
【００１３】
本発明に係る光送信装置は、レーザ装置と、第１のＲＦ信号を分割するスプリッタと、当該スプリッタの一方の出力信号から高調波成分を生成する非線形手段と、当該非線形手段の出力から当該高調波成分を抽出するフィルタと、当該フィルタの出力信号に従い当該レーザ装置の出力光を位相変調する位相変調器と、当該スプリッタの他方の出力信号を重畳した駆動信号により当該レーザ装置をレーザ発振させる駆動装置とを具備することを特徴とする。
【発明の効果】
【００１４】
本発明によれば、高調波成分により光キャリアの可干渉性の低減に、送信すべきＲＦ信号の高調波成分を使用するので、高周波数を発生する特別の信号源を用意しなくて組み、コストを低減できる。
【図面の簡単な説明】
【００１５】
【図１】本発明の一実施例の概略構成ブロック図を示す。
【図２】現行及び将来予定のＣＡＴＶ／ＢＳ／ＣＳ放送信号の周波数マップを示す。
【図３】図１に示す実施例をＰＯＮシステムに組み込んだ場合のＲＦ信号伝送システムの構成図を示す。
【図４】本発明の第２実施例の概略構成ブロック図を示す。
【図５】本発明の第３実施例の概略構成ブロック図を示す。
【図６】本発明の第４実施例の概略構成ブロック図を示す。
【発明を実施するための形態】
【００１６】
以下、図面を参照して、本発明の実施例を詳細に説明する。
【実施例１】
【００１７】
図１は、本発明の一実施例の概略構成ブロック図を示す。入力端子１０にＢＳ／ＣＳ放送信号が入力し、アンプ１２が入力端子１０からのＢＳ／ＣＳ放送信号を増幅する。スプリッタ（分岐器）１４は、アンプ１２の出力信号を２分割し、一方を非線形アンプ１６に供給する。非線形アンプ１６により、ＢＳ／ＣＳ放送信号の高調波成分を意図的に発生させる。ハイパスフィルタ（ＨＰＦ）１８は、非線形アンプ１６の出力信号から当該高調波成分を抽出して、駆動装置２０に供給する。ハイパスフィルタ１８の代わりに、当該高調波成分又はその一部を抽出するバンドパスフィルタでもよい。ＢＳ／ＣＳ放送信号の高調波成分は、ＢＳ／ＣＳ放送信号よりも高い周波数帯に位置するだけでなく、図２からも分かるように、ＣＡＴＶ放送信号よりも高い周波数帯に位置する。
【００１８】
駆動装置２０は、ＨＰＦ１８からの高調波成分を、半導体レーザ（ＬＤ）２２をレーザ発振させる直流電流に重畳して、半導体レーザ２２を駆動する。これにより、半導体レーザ２２は、ＣＡＴＶ／ＢＳ／ＣＳ放送信号よりも高い周波数成分で直接変調されることになり、半導体レーザのチャープ現象により光スペクトル幅を拡げられた光キャリアを発生する。
【００１９】
他方、入力端子２４には、ＣＡＴＶ放送信号が入力する。アンプ２６が入力端子２４からのＣＡＴＶ放送信号を増幅する。多重装置（ＭＵＸ）２８が、スプリッタ１４の他方の出力とアンプ２６の出力信号を周波数多重する。これにより、ＣＡＴＶ信号、ＢＳ信号及びＣＳ信号を混合した信号が生成される。強度変調器３０は、多重装置２８の出力信号に従い、半導体レーザ２２の出力レーザ光を強度変調する。強度変調器３０の出力光は、光ファイバ伝送路に供給される。
【００２０】
ＲＦ映像信号伝送の分野では、半導体レーザ２２には、高出力で低歪特性を有するＤＦＢ−ＬＤが通常、利用される。周波数ｆのＲＦ信号で半導体レーザを直接変調すると、光キャリア周波数に対して周波数間隔ｆでサイドバンドが発生する。ＲＦ信号周波数が高い程、同じＲＦ信号レベルでの光スペクトル幅の拡大効果も大きいことになる。従来のように、ＲＦ信号として単一周波数のトーン信号を用いた場合には、直接光と多重反射光との位相関係、つまりは光反射点間距離によっては、光スペクトル幅の拡大が干渉ノイズの低減効果をもたらさないことがありうる。しかし、本実施例では、ＢＳ／ＣＳ放送信号から非線形アンプ１６で生成した高調波成分は、多キャリアの高調波からなり、非常に広帯域な信号である。従って、信号レベルが低くても、光スペクトルを十分に拡げることができ、且つ、半導体レーザ２２の出力する光キャリアに対する歪みも少なくできる。
【００２１】
図３は、本実施例の光送信装置をＰＯＮシステムに組み込む場合の構成例を示す。図１に示す構成の光送信装置４０は、アンテナ４２からＣＡＴＶ／ＢＳ／ＣＳ放送信号から上述したように光信号を生成し、ＷＤＭ（波長分割多重）カップラ４４に供給する。他方、ＰＯＮシステムの局側光終端装置（ＯＬＴ）４６が、ＩＰネットワークからのデータ信号を光信号に変換してＷＤＭ（波長分割多重）カップラ４４に供給する。光送信装置４０の出力する光信号の波長は、ＯＬＴ４６からユーザ宅の光ネットワークユニット（ＯＮＵ）５８への下り光信号の波長とも、ユーザ宅のＯＮＵ５８からＯＬＴ４６への上り光信号の波長とも異なる。
【００２２】
ＷＤＭカップラ４４は、光送信装置４０からの放送信号を搬送する光信号と、ＯＬＴ４６からのデータを搬送する光信号とを波長分割多重し、その多重光信号を光ファイバ４８、光スプリッタ５０及び、個々のユーザ宅に接続する分岐光ファイバ５２−１〜５２−ｎからなるＰＯＮ光伝送路に出力する。光スプリッタ５０は光ファイバ４８からの光信号をｎ個に分割して、個々の分岐光ファイバ５２−１〜５２−ｎに供給する。光スプリッタ５０はまた、各ユーザの宅内装置５４−１〜５４−ｎから出力され、分岐光ファイバ５２−１〜５２−ｎを伝搬して入力する光信号を光ファイバ４８を介してＷＤＭカップラ４４に供給する。
【００２３】
ユーザ宅内装置５４−１〜５４−ｎは、一般に同じ構成からなり、ユーザ宅内装置５４−１についてその内部構成を図示してある。ユーザ宅内装置５４−１は、ＷＤＭカップラ４４に対応するＷＤＭカップラ５６と、光送信装置４０の出力光信号を受信処理する映像用ＯＮＵ５８と、ＯＬＴ４６との間で光信号を送受信するＯＮＵ６０からなる。
【００２４】
ＷＤＭカップラ５６は、分岐光ファイバ５２−１〜５２−ｎから入力する光信号を光送信装置４０から出力された光信号と、ＯＬＴ４６から出力された光信号に分離し、前者を映像用ＯＮＵ５８に供給し、後者をＯＮＵ６０に供給する。映像用ＯＮＵ５８は、ＷＤＭカップラ５６からの光信号を元の電気放送信号に戻し、出力する。ＯＮＵ６０は、ＷＤＭカップラ５６からの光信号を電気データ信号に変換して、宅内のＬＡＮに出力する。
【００２５】
各ユーザ宅内装置５４−１〜５４−ｎのＯＮＵ６０は、宅内のＬＡＮからのデータ信号を光信号（上り光信号又は上り信号）に変換し、ＯＬＴ４６により許可されるタイミングで分岐光ファイバ５２−１〜５２−ｎに出力する。この上り光信号は、分岐光ファイバ５２−１〜５２−ｎを遡り、光スプリッタ５０、光ファイバ４８及びＷＤＭカップラ４４を介してＯＬＴ４６に入力する。ＯＬＴ４６は、ＷＤＭカップラ４４からの上り光信号を電気データ信号に変換して、上流のＩＰネットッワークに送出する。
【００２６】
このように、しばしばインターネットのアクセス回線として使用されるＰＯＮシステムの光伝送路を使って、光送信装置４０の出力光信号をユーザ宅に伝送できる。ＯＬＴ４６は、周知の通り、光ファイバ４８、光スプリッタ５０及び分岐光ファイバ５２−１〜５２−ｎを介して接続するユーザ宅内装置５４−１〜５４−ｎのＯＮＵ５８との間でインターネット接続の上り信号と下り信号を送受信する。
【実施例２】
【００２７】
図４は、本発明に係る光送信装置の第２実施例の概略構成ブロック図を示す。図４に示す実施例では、光スペクトルを拡張するための高調波成分と、送信すべきＣＡＴＶ信号、ＢＳ／ＣＳ信号を電気段階で多重し、その多重信号で半導体レーザを直接駆動する。
【００２８】
入力端子１１０にＢＳ／ＣＳ放送信号が入力し、アンプ１１２が入力端子１１０からのＢＳ／ＣＳ放送信号を増幅する。スプリッタ（分岐器）１１４は、アンプ１１２の出力信号を２分割し、一方を非線形アンプ１１６に供給する。非線形アンプ１１６により、ＢＳ／ＣＳ放送信号の高調波成分を意図的に発生させる。ハイパスフィルタ（ＨＰＦ）１１８は、非線形アンプ１１６の出力信号から当該高調波成分を抽出する。ハイパスフィルタ１１８の代わりに、当該高調波成分又はその一部を抽出するバンドパスフィルタでもよい。
【００２９】
他方、入力端子１２０には、ＣＡＴＶ放送信号が入力する。アンプ１２２が入力端子１２０からのＣＡＴＶ放送信号を増幅する。多重装置（ＭＵＸ）１２４が、スプリッタ１１４の他方の出力とアンプ１２２の出力信号を周波数多重する。これにより、送信すべきＣＡＴＶ信号、ＢＳ信号及びＣＳ信号を混合した信号が生成される。
【００３０】
更に、多重装置１２６が、フィルタ１１８の出力信号に多重装置１２４の出力信号を多重又は混合する。これにより、半導体レーザ１３０の光スペクトルを拡張するための高調波成分が、送信すべきＣＡＴＶ／ＢＳ／ＣＳ信号と混合される。動作を理解しやすいように、多重装置１２４，１２６を別々に図示したが、単一の多重装置で多重装置１２４，１２６の多重機能を実現しても良いことは勿論である。
【００３１】
駆動装置１２８は、半導体レーザ（ＬＤ）１３０をレーザ発振させる直流電流に、多重装置１２６の出力信号を重畳して、半導体レーザ１３０を駆動する。これにより、半導体レーザ１３０は、ＣＡＴＶ／ＢＳ／ＣＳ放送信号を強度変調方式で搬送する光信号を出力し、且つ、その光スペクトル幅は、高調波成分の直接変調により拡張されている。半導体レーザ１３０の出力レーザ光は、光ファイバ伝送路に供給される。
【実施例３】
【００３２】
上記実施例では、半導体レーザを直接駆動して光スペクトル幅を拡げ、可干渉性を低下させたが、外部位相変調器による位相変調によって可干渉性を低下させても良い。図５は、そのような実施例の概略構成ブロック図を示す。
【００３３】
入力端子２１０にＢＳ／ＣＳ放送信号が入力し、アンプ２１２が入力端子２１０からのＢＳ／ＣＳ放送信号を増幅する。スプリッタ（分岐器）２１４は、アンプ２１２の出力信号を２分割し、一方を非線形アンプ２１６に供給する。非線形アンプ２１６により、ＢＳ／ＣＳ放送信号の高調波成分を意図的に発生させる。ハイパスフィルタ（ＨＰＦ）２１８は、非線形アンプ２１６の出力信号から当該高調波成分を抽出する。ハイパスフィルタ２１８の代わりに、当該高調波成分又はその一部を抽出するバンドパスフィルタでもよい。
【００３４】
半導体レーザ２２０は、連続レーザ発振しており、その出力レーザ光が位相変調器２２２に供給される。位相変調器２２２は、ＨＰＦ２１８の出力信号に従い、半導体レーザ２２０からの連続レーザ光を位相変調する。この位相変調により、光スペクトル幅が拡げられ、可干渉性が低下する。
【００３５】
他方、入力端子２２４には、ＣＡＴＶ放送信号が入力する。アンプ２２６が入力端子２２４からのＣＡＴＶ放送信号を増幅する。多重装置（ＭＵＸ）２２８が、スプリッタ２１４の他方の出力とアンプ２２６の出力信号を周波数多重する。これにより、ＣＡＴＶ信号、ＢＳ信号及びＣＳ信号を混合した信号が生成される。強度変調器２３０は、多重装置２２８の出力信号に従い、位相変調器２２２の出力レーザ光を強度変調する。強度変調器２３０の出力光は、光ファイバ伝送路に供給される。
【００３６】
強度変調器２３０を半導体レーザ２２０と位相変調器２２２の間に配置しても良い。
【実施例４】
【００３７】
図６は、本発明の第４実施例の概略構成ブロック図を示す。この実施例では、光スペクトルの拡張に位相変調器を使用しつつ、送信すべきＲＦ信号の強度変調に直接変調を使用する。
【００３８】
入力端子３１０にＢＳ／ＣＳ放送信号が入力し、アンプ３１２が入力端子３１０からのＢＳ／ＣＳ放送信号を増幅する。スプリッタ（分岐器）３１４は、アンプ３１２の出力信号を２分割し、一方を非線形アンプ３１６に供給する。非線形アンプ３１６により、ＢＳ／ＣＳ放送信号の高調波成分を意図的に発生させる。ハイパスフィルタ（ＨＰＦ）３１８は、非線形アンプ３１６の出力信号から当該高調波成分を抽出する。ハイパスフィルタ３１８の代わりに、当該高調波成分又はその一部を抽出するバンドパスフィルタでもよい。
【００３９】
他方、入力端子３２０には、ＣＡＴＶ放送信号が入力する。アンプ３２２が入力端子３２０からのＣＡＴＶ放送信号を増幅する。多重装置（ＭＵＸ）３２４が、スプリッタ３１４の他方の出力とアンプ３２２の出力信号を周波数多重する。これにより、ＣＡＴＶ信号、ＢＳ信号及びＣＳ信号を混合した信号が生成される。
【００４０】
駆動装置３２６は、多重装置３２４の出力信号を、半導体レーザ（ＬＤ）３２８をレーザ発振させる直流電流に重畳して、半導体レーザ３２８を駆動する。これにより、半導体レーザ３２８は、ＣＡＴＶ／ＢＳ／ＣＳ放送信号を強度変調方式で搬送する光信号を発生する。半導体レーザ３２８の出力光信号は、位相変調器３３０に供給される。
【００４１】
位相変調器３３０は、ＨＰＦ３１８の出力信号に従い、半導体レーザ３２８からの光信号を位相変調する。この位相変調により、光スペクトル幅が拡げられ、可干渉性が低下する。位相変調器３３０の出力光は、光ファイバ伝送路に供給される。
【００４２】
上記各実施例では、ＢＳ／ＣＳ信号の一部を分割して非線形アンプに入力したが、ＢＳ／ＣＳ信号の一部の、更に特定の周波数帯域成分を非線形アンプに入力してもよいことは勿論である。また、ＣＡＴＶ信号から光スペクトル幅拡大用信号を生成してもよい。
【００４３】
上記各実施例では、簡単な構成で多キャリアの広帯域ランダム信号を発生でき、光反射点間距離による干渉ノイズ低減効果の差異も、抑制出来る。
【００４４】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【符号の説明】
【００４５】
１０：入力端子
１２：アンプ
１４：スプリッタ（分岐器）
１６：非線形アンプ
１８：ハイパスフィルタ（ＨＰＦ）
２０：駆動装置
２２：半導体レーザ（ＬＤ）
２４：入力端子
２６：アンプ
２８：多重装置（ＭＵＸ）
３０：強度変調器
４０：光送信装置
４２：アンテナ
４４：ＷＤＭ（波長分割多重）カップラ
４６：局側光終端装置（ＯＬＴ）
４８：光ファイバ
５０：光スプリッタ
５２−１〜５２−ｎ：分岐光ファイバ
５４−１〜５４−ｎ：ユーザ宅内装置
５６：ＷＤＭカップラ
５８：映像用ＯＮＵ
６０：光ネットワークユニット（ＯＮＵ）
１１０：入力端子
１１２：アンプ
１１４：スプリッタ（分岐器）
１１６：非線形アンプ
１１８：ハイパスフィルタ（ＨＰＦ）
１２０：入力端子
１２２：アンプ
１２４：多重装置（ＭＵＸ）
１２６：多重装置（ＭＵＸ）
１２８：駆動装置
１３０：半導体レーザ（ＬＤ）
２１０：入力端子
２１２：アンプ
２１４：スプリッタ（分岐器）
２１６：非線形アンプ
２１８：ハイパスフィルタ（ＨＰＦ）
２２０：半導体レーザ
２２２：位相変調器
２２４：入力端子
２２６：アンプ
２２８：多重装置（ＭＵＸ）
２３９：強度変調器
３１０：入力端子
３１２：アンプ
３１４：スプリッタ（分岐器）
３１６：非線形アンプ
３１８：ハイパスフィルタ（ＨＰＦ）
３２０：入力端子
３２２：アンプ
３２４：多重装置（ＭＵＸ）
３２６：駆動装置
３２８：半導体レーザ（ＬＤ）
３３０：位相変調器
【図１】
2010232764.tif 000003
【図２】
2010232764.tif 000004
【図３】
2010232764.tif 000005
【図４】
2010232764.tif 000006
【図５】
2010232764.tif 000007
【図６】
2010232764.tif 000008